(57)【要約】【課題】液体容器の蓋に設けられる蓋ロック解除機構において、蓋つまみの前端部を押し込んだだけでは蓋のロックが解除されないようにすることにより、蓋ロック解除機構の安全性を高めることである。【解決手段】蓋つまみを、揺動軸１６と係合突起１７を有する主体つまみ部１３と、該主体つまみ部１３に対し一定の遊び角αをもって連結された補助つまみ部１４とにより構成し、補助つまみ部１４の押し込み部２６を押し込んだ際に前記の遊び角αの範囲では主体つまみ部１３は作動せず、補助つまみ部１４をその角度以上に引き上げた際に主体つまみ部１３と一体となって回動し、フック部材８を後退させロックを解除するようにした。【選択図】  図４
2004161333.tif 000002
【特許請求の範囲】
【請求項１】
容器本体の蓋に蓋つまみを揺動自在に取付け、その蓋つまみの一部に容器本体に対する係脱部を設け、上記係脱部において蓋を容器本体にロックするとともに、該係脱部側を使用者の指先で押し込むことによりそのロックを解除するようにした液体容器の蓋ロック解除機構において、上記蓋つまみをその揺動軸と係脱部を含む主体つまみ部と、該主体つまみ部に対し一定の遊び角をもって連結された補助つまみ部とにより構成したことを特徴とする液体容器の蓋ロック解除機構。
【請求項２】
前記主体つまみ部の揺動軸の位置を、該主体つまみ部の先端部に設けたことを特徴とする請求項１に記載の液体容器の蓋ロック解除機構。
【請求項３】
前記補助つまみ部に、その主体つまみ部との連結部より主体つまみ部側に延び出した延出部を設け、その延出部に該補助つまみ部の押し込み部を設けたことを特徴とする請求項１又は２に記載の液体容器の蓋ロック解除機構。
【請求項４】
前記補助つまみ部を閉止状態に支持するつまみ受け部を前記主体つまみ部に設けたことを特徴とする請求項１から３のいずれかに記載の液体容器の蓋ロック解除機構。
【請求項５】
前記補助つまみ部の後端部に、１個又は複数個の副補助つまみ部を順次所要の遊び角をもって連結したことを特徴とする請求項１から４のいずれかに記載の液体容器の蓋ロック解除機構。
【請求項６】
前記係脱部が、前記主体つまみ部に設けた係合部と、蓋に設けたフック部材とからなり、前記係合部を該フック部材に係合するとともに、該フック部材を容器本体に対して係脱自在に設けたことを特徴とする請求項１から５のいずれかに記載の液体容器の蓋ロック解除機構。
【請求項７】
前記係脱部が、前記主体つまみ部に一体に設けたフックからなり、該フックを容器本体に対して係脱自在に設けたことを特徴とする請求項１から５のいずれかに記載の液体容器の蓋ロック解除機構。
【発明の詳細な説明】
【０００１】
【発明の属する技術分野】
この発明は、電気ポット、湯沸かし型加湿器等の液体容器において蓋を容器本体にロックし、またそのロックを解除する機構、即ち蓋ロック解除機構に関するものである。
【０００２】
【従来の技術】
電気ポットや加湿器のように湯を収納した液体容器においては、その蓋が容易に開放されないように蓋を容器本体にロックするとともに、必要に応じてそのロックを解除して蓋を開放できるようにするため、従来から蓋ロック解除機構が設けられている（特許文献１参照）。
【０００３】
特許文献１の第１図及び第２図に示された蓋ロック解除機構は、蓋に揺動自在に取付けた蓋つまみの先端部下面を蓋に設けたフック部材に係合させ、そのフック部材を容器本体に対し係脱させるようにした機構からなっている。この機構は、蓋を閉止した状態では、フック部材がばねの付勢力により前進し容器本体に係合し蓋をロックする。また、蓋を開放する際は、蓋つまみの前端部上面を使用者の指先で押し込んで後端部を立ち上げ、立ち上った後端部をつまんで引き上げると、蓋つまみの先端部がフック部材に係合してこれを後退させる。これにより、蓋のロックが解除され蓋が開放される。
【０００４】
また、特許文献１の第５図から第７図に示されたものは、蓋つまみの前端部下面にフックを一体に設け、そのフックを直接容器本体に係合させて蓋をロックするようにしている。この場合も蓋を開放する際は、蓋つまみの先端部上面を使用者の指先で押し込んで後端部を立ち上げ、立ち上った後端部をつまんで引き上げると、フックが後退してロックが解除され蓋が開放される。
【０００５】
上記のように、蓋を開放する際に、一旦蓋つまみの前端部を指先により押し込んで後端部を立ち上がらせてから、その後端部をつまんで蓋を開放させるという２段階操作を行うようにしているのは、幼児等が蓋つまみに手を触れ単に押し込んだだけでは蓋が開放されることがないようにして安全性を高めるためである。
【０００６】
【特許文献１】
実公平６−１６５６５号公報（実施例、第１図、第２図、第５図から第７図）
【０００７】
【発明が解決しようとする課題】
しかしながら、従来の蓋ロック解除機構はいずれも、蓋つまみの前端部を押し込むと同時にフックないしフック部材が始動する機構になっている。このため、蓋つまみを押し込んだだけで蓋のロックが解除されてしまうことがあった。
【０００８】
また、蓋つまみの前端部を押し込む際には、フックないしフック部材に作用するフックばねのばね力に対向した力を使用者の指先によって加えなければならないが、そのばね力は蓋のロックを確実にする必要から比較的大きく設定されているために、指先に掛かる負担が大きくなり、使用性が悪い問題もあった。
【０００９】
そこで、この発明は、単に蓋つまみを押し込んだだけではロックは解除されず、また、その押し込みの際にフックばねのばね力の影響を受けることがないようにするとともに、蓋つまみをつまんで引き上げる力を加えるとロック解除が行われるようにして、安全性・使用性の向上を図ることを課題とする。
【００１０】
【課題を解決するための手段】
上記の課題を解決するために、この発明は、容器本体の蓋に蓋つまみを揺動自在に取付け、その蓋つまみの一部に容器本体に対する係脱部を設け、上記係脱部において蓋を容器本体にロックするとともに、該係脱部側を使用者の指先で押し込むことによりそのロックを解除するようにした液体容器の蓋ロック解除機構において、上記蓋つまみをその揺動軸と係脱部を含む主体つまみ部と、該主体つまみ部に対し一定の遊び角をもって連結された補助つまみ部とにより構成したものである。
【００１１】
上記の構成によると、補助つまみ部の一端部を指先で押し込んで他端部を立ち上がらせても、遊び角の範囲においては主体つまみ部は作動されないので、ロックが解除されることはない。また、補助つまみ部の押し込みの際に、指先に大きなばね力が加わることもないので負担が少なく、使用性が改善される。なお、補助つまみ部の立ち上がった部分をつまんで前記の遊び角を越えて引き上げると、ロックが解除されるとともに、蓋が開放される。
【００１２】
前記主体つまみ部の揺動軸の位置を、該主体つまみ部の先端部に設けた構成を採ると、主体つまみ部の先端部を押し込んでも、その下面に存在する揺動軸により、主体つまみ部が押下げられることが防止される。
【００１３】
また、前記補助つまみ部に、その主体つまみ部との連結部より主体つまみ部側に延び出した延出部を設け、その延出部に該補助つまみ部の押し込み部を設けた構成をとることができる。この構成によると、補助つまみ部に押し込み部が設けられるので、該補助つまみ部の後端部を立ち上げる操作が容易に行える。
【００１４】
また、前記補助つまみ部を閉止状態に支持するつまみ受け部を前記主体つまみ部に設けた構成を採ることができる。この構成によると、補助つまみ部の不使用時における姿勢が安定する。
【００１５】
さらに、前記補助つまみ部の後端部に１個又は複数個の副補助つまみ部を順次所要の遊び角をもって連結した構成を採ることができる。この構成によると、１個の副補助つまみ部を設けた場合はその副補助つまみ部を一定の遊び角を越えて立ち上げると補助つまみ部に係合し、その補助つまみ部と副補助つまみ部が一体となって一定の遊び角を越えて立ち上がるという２段階の屈曲立ち上がり過程を経て、補助つまみ部が主体つまみ部に係合する。また、複数個の副補助つまみ部を設けた場合は最後尾の副補助つまみ部から順位に一定の遊び角を越えて立ち上げると補助つまみ部に係合し、その補助つまみ部と副補助つまみ部が一体となって一定の遊び角を越えて立ち上がるという３段階以上の屈曲立ち上がり過程を経て、補助つまみ部が主体つまみ部に係合する。従って、一層安全性が高くなる。
【００１６】
前記係脱部が、前記主体つまみ部に設けた係合部と、蓋に設けたフック部材とからなり、該フック部材が容器本体に対して係脱自在に設けられ、前記係合部を該フック部材に係合した構造を採ることができる。この構造は、主体つまみ部とは別部材のロック部材が容器本体に対して係脱する構造であり、ロック部材が水平状態を維持して前後方向に移動する。
【００１７】
これに対して、前記係脱部が、前記主体つまみ部に一体に設けたフックからなり、該フックを容器本体に対して係脱自在に設けた構造を採ることもできる。この構成によると、フックが主体つまみ部に一体に設けられるので、部品点数が少なくなる。
【００１８】
【発明の実施の形態】
以下、この発明の実施形態を添付図面に基づいて説明する。図１から図４に示した第１実施形態は、電気ポットの蓋における蓋ロック解除機構を示すものである。
【００１９】
図１に示すように、容器本体１の上部開放面に蓋２が被せられ、ヒンジ軸３により開閉自在となっている。蓋２の前端部に蓋ロック解除機構４が設けられる。なお、図において５は吐出口、６はハンドルを示す。
【００２０】
図２は、前記の蓋ロック解除機構４の詳細を示している。この機構は、蓋つまみ７、フック部材８、フックばね９を主要な構成部材としている。フック部材８は、従来の電気ポットの場合と同様に、蓋２の内部において前後方向に水平状態を維持して進退できるように設けられる。このフック部材８は、フックばね９により前向きに付勢されるとともに、その先端が蓋２の前部側面から出没できるようになっている。蓋２の前部側面から突き出した前進状態で容器本体１の係合凹部１１に係合して蓋２を容器本体１に対してロックする。後退すると先端部が係合凹部１１から脱出するためロックが解除される。
【００２１】
前記の蓋つまみ７は、図１、図２に示すように、蓋２の前端部に設けた取付け凹部１２において、該取付け凹部１２の開放面を蓋２の上面と同じ高さですき間なくカバーするように取付けられる。この蓋つまみ７は、図３（ａ）（ｂ）に示すように、主体つまみ部１３と、補助つまみ部１４とからなり、主体つまみ部１３は取付け凹部１２の前端寄りに配置されるとともに、補助つまみ部１４は後端寄りに配置される。両者は主体つまみ部１３の後端部において、電気ポットの前方から見て左右方向に挿通された連結ピン１５により連結される。
【００２２】
主体つまみ部１３はその前端部の左右側面にこれを一定の角度で揺動支持する揺動軸１６、１６が一体に設けられ、またその前端部下面の中央部に下向きに係合突起１７が設けられる。主体つまみ部１３の後端面中央部において前方に向けて角形に凹入した凹部１８が設けられる。その凹部１８の左右側面部にばね収納溝１９、１９が設けられ、凹部１８に面した各ばね収納溝１９の側面に連結ピン１５の挿通穴２１及び補助つまみ部１４の規制突起２２が設けられる。前記の各ばね収納溝１９を構成する主体つまみ部１３の部分は、若干後方に突き出してつまみ受け部２３、２３を形成している（図３（ａ）（ｂ）参照）。このつまみ受け部２３は、後述のように、補助つまみ部１４を閉止位置に支持する機能をもつものである。
【００２３】
補助つまみ部１４は、その前端中央部に前記の凹部１８に嵌入する角形の延出部２４が、連結ピン１５より前方に突き出して設けられる。その延出部２４の上面に指掛け凸部２５を有する押し込み部２６が設けられる。また、その延出部２４の下面先端部に一対のばね受け突起２７、２７が設けられ、左右両側面に前記連結ピン１５の挿通穴２８、２８が設けられる。また、補助つまみ部１４の後端は指掛け部２０となっている。
【００２４】
上記の補助つまみ部１４の延出部２４を主体つまみ部１３の凹部１８に嵌合するとともに、平面視コの字形のばね２９を両者間に介在させる。ばね２９は、図３（ｂ）に示すように、左右の脚部に設けられたコイル部３１、３１が主体つまみ部１３のばね収納溝１９、１９に収納され、ブリッジ部３２が補助つまみ部１４のばね受け突起２７、２７に押し当てられる。また、連結ピン１５をそれぞれの挿通穴２１、２８に挿通して、主体つまみ部１３に対して補助つまみ部１４を揺動自在に連結する。補助つまみ部１４は、連結ピン１５の前方においてばね２９のブリッジ部３２により上向きに付勢される一方、連結ピン１５の後方において前述のつまみ受け部２３で受けられる結果、補助つまみ部１４は主体つまみ部１３と同一面に支持される。このように支持された補助つまみ部１４の状態を閉止状態と称する。
【００２５】
補助つまみ部１４が上記の閉止状態にあるとき、その下面両側部と前記の規制突起２２、２２との間には所定のすき間ａ（図２（ａ）参照）が存在する。
【００２６】
第１実施形態は以上のようなものであり、図２（ａ）に示すように、補助つまみ部１４が閉止状態にある場合に、主体つまみ部１３と補助つまみ部１４とにより構成された蓋つまみ７の上面は平坦面となり、蓋２の取付け凹部１２を覆い隠すとともに、蓋２の上面と段差の無い面を形成する。また、フック部材８はフックばね９に付勢されてその先端部が容器本体１の係合凹部１１に係合され、蓋２を容器本体１に対してロックする。また、主体つまみ部１３の係合突起１７は、ロック部材８の係合壁３３の前面に接している。この状態で、主体つまみ部１３の先端部を押下げても、揺動軸１６が先端部に片寄った位置に設けられているので、主体つまみ部１３をロック解除方向に回動させることはできない。
【００２７】
上記の状態から使用者が蓋２を開放する場合は、まず、補助つまみ部１４の指掛け凸部２５に指先を掛けながらその指で押し込み部２６を下向きに押し込むと、前記のすき間ａ（図２参照）の存在により、図４（ａ）に示すように、一定の遊び角αだけ補助つまみ部１４のみが回動する。その間主体つまみ部１３は作動せず、従ってフック部材８も作動せずロック状態を維持する。このとき補助つまみ部１４はばね２９の作用により閉止状態に戻る方向に付勢される。このようにして補助つまみ部１４を遊び角αの範囲で回動させる場合に使用者の指先にかかる負担はばね２９のばね力だけであり、そのばね力は補助つまみ部１４を閉止状態に戻すだけの比較的小さいものであるから指先に掛かる負担は軽い。
【００２８】
次に、補助つまみ部１４の後端部の指掛け部２０をつまんでこれを上記の遊び角αを越えて更に引き上げると、図４（ｂ）に示すように、補助つまみ部１４の前端部下面が規制突起２２に当たるため、補助つまみ部１４が主体つまみ部１３と一体となって揺動軸１６を中心として回動する。これにより主体つまみ部１３の係合突起１７が係合壁３３を押してフック部材８を後退させ、蓋２のロックを解除させる。主体つまみ部１３と補助つまみ部１４の回動は、係合突起１７が取付け凹部１２の前端壁３４に当たることにより規制される。この場合の操作時には、比較的大きいばね力をもったフックばね９を圧縮する力が必要になるが、補助つまみ部１４後端の指掛け部２０から揺動軸１６までの距離が大きくなり、大きいテコ比が得られるので使用者の負担になることはほとんどない。
【００２９】
以上の操作によって蓋２のロックが解除されると、引き続き補助つまみ部１４を把持したまま蓋２をヒンジ軸３の周りに回動させる。これによって蓋２が開放される。蓋２の開放後に指を離すと、主体つまみ部１３及び補助つまみ部１４は、フックばね９及びばね２９のばね力により元の状態に戻る。
【００３０】
なお、補助つまみ部１４の重心が連結ピン１５の後方にあるように設定した場合は、該補助つまみ部１４は自重で復帰するので、ばね２９を省略してもよい。この点は、後述の他の実施形態の場合も同様である。
【００３１】
次に、図５に基づいて第２実施形態について説明する。この場合は、補助つまみ部１４の後端部にもう一つのつまみ部、即ち副補助つまみ部１４ａを連結したものである。この場合の補助つまみ部１４は基本的には前記のものと同じであるが、指掛け凸部２５と押し込み部２６及び指掛け部２０が副補助つまみ部１４ａに設けられる。また、凹部１８の左右の幅を若干大きく形成し、これに関連する部分のサイズもこれに合わせて大きくしている。
【００３２】
上記の副補助つまみ部１４ａの補助つまみ部１４に対する連結構造は、前述した補助つまみ部１４の主体つまみ部１３に対する連結構造と同様である。即ち、補助つまみ部１４の後端縁の中央部において前方に向けて角形に凹入した凹部１８ａが設けられる。その凹部１８ａの左右側面部にばね収納溝１９ａ、１９ａが設けられ、凹部１８ａの内側面に副補助つまみ部１４ａの規制突起２２ａが設けられる。前記の各ばね収納溝１９ａを構成する補助つまみ部１４の部分は、若干後方に突き出してつまみ受け部２３ａ、２３ａを形成している。このつまみ受け部２３ａは、副補助つまみ部１４ａを閉止位置に支持する機能をもつものである。
【００３３】
副補助つまみ部１４ａは、その前端中央部に前記の凹部１８ａに嵌入する角形の延出部２４ａが設けられる。その上面に前記の指掛け凸部２５を有する押し込み部２６が設けられる。また、副補助つまみ部１４ａの後端に前記の指掛け部２０が形成される。
【００３４】
上記の副補助つまみ部１４ａの延出部２４ａを補助つまみ部１４の凹部１８ａに嵌合するとともに、平面視コの字形のばね２９ａを両者間に介在させる。ばね２９ａの形状及びその装着方法は前記の場合と同様である。また、連結ピン１５ａにより、補助つまみ部１４に対して副補助つまみ部１４ａを揺動自在に連結する。副補助つまみ部１４ａは、その前端部がばね２９ａにより押上げられる一方、前述のつまみ受け部２３ａで受けられる結果、副補助つまみ部１４ａは補助つまみ部１４と同一面に支持される。このように支持された副補助つまみ部１４ａの状態を補助つまみ部１４の場合と同様に閉止状態と称する。
【００３５】
副補助つまみ部１４ａが上記の閉止状態にあるとき、その下面両側部と前記の規制突起２２ａ、２２ａとの間には所定のすき間ｂ（図５（ａ）参照）が存在する。
【００３６】
第２実施形態は以上のようなものであり、図５（ａ）に示すように、補助つまみ部１４と副補助つまみ１４ａがそれぞれ閉止状態にある場合に、主体つまみ部１３、補助つまみ部１４、副補助つまみ部１４ａとにより構成された蓋つまみ７の上面は平坦面となり、蓋２の取付け凹部１２を覆い隠すとももに、蓋２の上面と段差の無い面を形成する。また、フック部材８はフックばね９に付勢されてその先端部が容器本体１の係合凹部１１に係合され、蓋２を容器本体１に対してロックする。また、主体つまみ部１３の係合突起１７は、ロック部材８の係合壁３３の前面に接している。この状態で、主体つまみ部１３の先端部を押下げても、揺動軸１６が先端部に片寄った位置に設けられているので、主体つまみ部１３をロック解除方向に回動させることはできない。
【００３７】
上記の状態から使用者が蓋２を開放する場合は、まず、副補助つまみ部１４ａの指掛け凸部２５に指先を掛けながら押し込み部２６を下向きに押し込むと、前記のすき間ｂの存在により、図５（ａ）に示すように、一定の遊び角βだけ副補助つまみ部１４ａのみが回動する。その間補助つまみ部１４及び主体つまみ部１３は作動せず、従ってフック部材８も作動せずロック状態を維持する。
【００３８】
副補助つまみ部１４ａを上記の遊び角βを越えて更に引き上げると、副補助つまみ部１４ａの前端部下面が規制突起２２ａに当たるため、副補助つまみ部１４ａが補助つまみ部１４と一体となって連結ピン１５を中心として回動する。これにより補助つまみ部１４と副補助つまみ部１４ａが一体となって遊び角αだけ回動する。それ以後は主体つまみ部１３も一体となって回動してその係合突起１７が係合壁３３を押してフック部材８を後退させ、ロックを解除させる。その後の作用は前述の場合と同様である。
【００３９】
上記のように、第２実施形態の場合は、副補助つまみ部１４ａと補助つまみ部１４の２段階の屈曲立ち上がり過程を経た上で主体つまみ部１３が作動し、その後にロックの解除を行う点で前記の第１実施形態の場合と相違し、安全性が一層高くなる。
【００４０】
なお、前記の副補助つまみ部１４ａの後端部にさらに同様の構成で１又は複数の副補助つまみ部１４ａを順に連結した構造をとることもできる。この場合は、最後尾の副補助つまみ部１４ａから順次一定の遊び角を越えて立ち上げると、最前端の副補助つまみ部１４ａが補助つまみ部１４に係合し、その補助つまみ部１４と全部の副補助つまみ部１４ａが一体となって一定の遊び角を越えて立ち上がるという３段階以上の屈曲立ち上がり過程を経て、主体つまみ部１３に係合する。
【００４１】
次に、図６及び図７に示した第３実施形態について説明する。この場合も蓋つまみ７を主体つまみ部１３と補助つまみ部１４により構成する点は第１実施形態の場合と同様であるが、主体つまみ部１３と補助つまみ部１４の連結部分の構造において相違する部分がある。
【００４２】
即ち、前述の第１、第２の実施形態の場合は、主体つまみ部１３の後端縁に凹部１８を設け、その凹部１８に嵌合する延出部２４を補助つまみ部１４に設け、連結ピン１５による相互間の連結及び補助つまみ部１４の回動規制のための構造をその嵌合部に設けていたが、第３実施形態の場合は、そのような凹部１８や延出部２４が無く、図６（ｂ）に示すように、両者は直線の端縁相互が突き合った形状となり、直線状の突合せ線３５が形成される。
【００４３】
この場合の主体つまみ部１３は、図７（ａ）に示すように、その前端部下面に設けた前記の係合突起１７の後面から後方に突き出した受け皿部３６が設けられる。この受け皿部３６は前記の取付け凹部１２より高い位置において、突合せ線３５の部分を越え、補助つまみ部１４の下面のほぼ中間部に達するように形成される。その受け皿部３６の後端部両側に連結ピン１５の挿通穴３７、３７が設けられる（図６（ｃ）参照）。また、補助つまみ部１４の挿通孔３８、３８の部分が各挿通穴３７、３７の内側に嵌合され、連結ピン１５をこれらの挿通孔３７、３８に挿通することにより、補助つまみ部１４を主体つまみ部１３に対して揺動自在に連結される。主体つまみ部１３と補助つまみ部１４との間には、前述の場合と同様のばね２９が装着される。また、補助つまみ部１４の先端部、即ち連結ピン１５より前方に延出した部分の上面に、指掛け凸部２５とその後方に押し込み部２６が設けられる。
【００４４】
前記補助つまみ部１４が閉止状態にある図７（ａ）の状態で、連結ピン１５の前方において、補助つまみ部１４の下面と受け皿部３６との間には、上下方向のすき間ａが存在する。
【００４５】
第３実施形態は以上の構成であり、その作用は前述の第１実施形態の場合と同様に、補助つまみ部１４が遊び角αだけ回動したのちに主体つまみ部１３の受け皿部３６に当たり（図７（ａ）の二点鎖線参照）、以後主体つまみ部１３と一体となって揺動軸１６を中心に回動してフック部材８を後退させロックを解除する（図７（ｂ）参照）。
【００４６】
なお、前記の補助つまみ部１４の後端部に１個又は複数個の副補助つまみ部１４ａを連結することができる点は、前記の第２実施形態の場合と同様である。
【００４７】
次に、図８に示した第４実施形態は、前述の各実施形態におけるフック部材８を省略して、主体つまみ部１３の係合突起１７の下端にフック８ａを一体に設け、そのフック８ａを容器本体１の係合凹部１１に係脱自在に設けたものである。この場合のフックばね９ａは主体つまみ部１３の揺動軸１６ａの回りに装着される。その他の構成及び作用は、第１実施形態の場合と同様である。
【００４８】
【発明の効果】
以上のように、この発明は、蓋つまみを主体つまみ部と補助つまみ部とにより構成し、容器本体に対する係脱部を設けた主体つまみ部に対して補助つまみ部を一定の遊び角をもって連結したことにより、つまみを押し込んでから引き上げるという２段階操作である点では従来と同様でありながら、補助つまみ部をその遊び角の範囲内で押し込んだだけは蓋のロックは解除されないので、高い安全性が得られる。
【００４９】
また、補助つまみ部を押し込む際は、フックばねを圧縮させることはないので、使用者の指先に掛かる負担は小さく操作性に優れる。
【図面の簡単な説明】
【図１】第１実施形態の一部省略断面図
【図２】（ａ）同上の一部拡大断面図
（ｂ）（ａ）図の部分の平面図
【図３】（ａ）同上の蓋つまみの分解斜視図
（ｂ）同上の蓋つまみの裏面側から見た分解斜視図
【図４】（ａ）同上の作動状態の断面図
（ｂ）同上の作動状態の断面図
【図５】（ａ）第２実施形態の一部断面
（ｂ）（ａ）図の部分の平面図
【図６】（ａ）第３実施形態の一部断面図
（ｂ）（ａ）図の部分の平面図
（ｃ）（ａ）図のｃ−ｃ線の断面図
【図７】（ａ）同上の一部拡大断面図
（ｂ）同上の作動状態の断面図
【図８】第４実施形態の断面図
【符号の説明】
１  容器本体
２  蓋
３  ヒンジ軸
４  蓋ロック解除機構
５  吐出口
６  ハンドル
７  蓋つまみ
８  フック部材
８ａ  フック
９、９ａ  フックばね
１１  係合凹部
１２  取付け凹部
１３  主体つまみ部
１４  補助つまみ部
１４ａ  副補助つまみ部
１５、１５ａ  連結ピン
１６、１６ａ  揺動軸
１７  係合突起
１８、１８ａ  凹部
１９  ばね収納溝
２０  指掛け部
２１  挿通穴
２２、２２ａ  規制突起
２３、２３ａ  つまみ受け部
２４、２４ａ  延出部
２５  指掛け凸部
２６  押し込み部
２７  ばね受け突起
２８  挿通穴
２９  ばね
３１  コイル部
３２  ブリッジ部
３３  係合壁
３４  前端壁
３５  突合せ線
３６  受け皿部
３７  挿通穴
３８  挿通穴
【図１】
2004161333.tif 000003
【図２】
2004161333.tif 000004
【図３】
2004161333.tif 000005
【図４】
2004161333.tif 000006
【図５】
2004161333.tif 000007
【図６】
2004161333.tif 000008
【図７】
2004161333.tif 000009
【図８】
2004161333.tif 000010